(57)【要約】【課題】  蓄熱式熱源設備において蓄熱槽における貯留冷熱や貯留温熱を有効に利用できるようにする。【解決手段】  蓄熱槽１の貯留冷熱や貯留温熱を取り出す放熱用熱交換器２及び熱源機４から熱媒供給を受ける往側合流部５を負荷熱交換器９からの還り側の熱媒路に対して短絡接続するバイパス路２５を、放熱用還路２０との分岐後の熱源機用還路２１に接続するとともに、この熱源機用還路２１においてバイパス路２５の接続点よりも上流側で放熱用還路２０との分岐点に向かう熱媒逆流を阻止する逆止手段２７を設ける。【選択図】        図１
2005147416.tif 000002
【特許請求の範囲】
【請求項１】
放熱用熱交換器において蓄熱槽に貯留の一次側熱媒と熱交換させて冷却又は加熱した二次側熱媒を放熱用往路を通じ放熱用ポンプにより往側合流部へ供給するとともに、これとは並列に、熱源機で冷却又は加熱した二次側熱媒を熱源機用往路を通じ熱源機用ポンプにより前記往側合流部へ供給し、
これら放熱用熱交換器及び熱源機から前記往側合流部に供給される二次側熱媒を負荷側往路を通じ負荷側ポンプにより負荷熱交換器に供給するとともに、この熱媒供給に並行して前記負荷熱交換器から負荷側還路へ送出される二次側熱媒を放熱用還路と熱源機用還路とに分流して前記放熱用熱交換器と前記熱源機とに対し並列的に戻す構成にし、
この構成において、前記放熱用ポンプにより前記往側合流部に供給する二次側熱媒の流量、前記熱源機用ポンプにより前記往側合流部に供給する二次側熱媒の流量、並びに、前記負荷側ポンプにより前記負荷熱交換器へ供給する二次側熱媒の流量の夫々を前記負荷熱交換器における負荷に応じて調整する流量制御手段を設けるとともに、
前記往側合流部を前記負荷熱交換器からの還り側の熱媒路に対し短絡的に接続するバイパス路を設ける蓄熱式熱源設備であって、
前記負荷熱交換器からの還り側の熱媒路に対する前記バイパス路の接続として前記バイパス路を前記熱源機用還路に接続し、
前記熱源機用還路において前記バイパス路の接続点よりも上流側の箇所で、前記放熱用還路との分岐点の側へ向かう熱媒流動を阻止して前記熱源機の側へ向かう熱媒流動のみを許容する逆止手段を設けてある蓄熱式熱源設備。
【請求項２】
前記負荷側還路をＴ字状又はＹ字状の分岐管構造により前記放熱用還路と前記熱源機用還路とに分岐してある請求項１記載の蓄熱式熱源設備。
【請求項３】
前記熱源機を並列的に複数装備するのに対し、前記負荷側還路から前記熱源機用還路を通じて戻る二次側熱媒を前記バイパス路の接続点よりも下流側で受け入れる還側ヘッダを設け、この還側ヘッダから各別の熱源機用分岐還路を通じて複数の前記熱源機へ二次側熱媒を戻す構成にしてある請求項１又は２記載の蓄熱式熱源設備。
【請求項４】
前記放熱用熱交換器から送出される二次側熱媒の一部を前記放熱用還路へ短絡的に供給する温度調整用の短絡路を設け、この短絡路を通じて前記放熱用還路へ供給する二次側熱媒の流量調整により、前記放熱用還路から前記放熱用熱交換器に戻す二次側熱媒の温度を設定戻し温度に自動調整する構成にしてある請求項１〜３のいずれか１項に記載の蓄熱式熱源設備。
【発明の詳細な説明】
【技術分野】
【０００１】
本発明は、空調などに用いる蓄熱式熱源設備に関し、詳しくは（図２参照）、放熱用熱交換器２において蓄熱槽１に貯留の一次側熱媒Ａと熱交換させて冷却又は加熱した二次側熱媒Ｂを放熱用往路６を通じ放熱用ポンプＰ１により往側合流部５へ供給するとともに、これとは並列に、熱源機４で冷却又は加熱した二次側熱媒Ｂを熱源機用往路７を通じ熱源機用ポンプＰ２により往側合流部５へ供給し、
これら放熱用熱交換器２及び熱源機４から往側合流部５に供給される二次側熱媒Ｂを負荷側往路８を通じ負荷側ポンプＰ３により負荷熱交換器９に供給するとともに、この熱媒供給に並行して負荷熱交換器９から負荷側還路１０へ送出される二次側熱媒Ｂを放熱用還路２０′と熱源機用還路２１′とに分流して放熱用熱交換器２と熱源機４とに対し並列的に戻す構成にし、
この構成において、放熱用ポンプＰ１により往側合流部５に供給する二次側熱媒Ｂの流量、熱源機用ポンプＰ２により往側合流部５に供給する二次側熱媒Ｂの流量、並びに、負荷側ポンプＰ３により負荷熱交換器９へ供給する二次側熱媒Ｂの流量の夫々を負荷熱交換器９における負荷に応じて調整する流量制御手段１９を設けるとともに、
往側合流部５を負荷熱交換器９からの還り側の熱媒路に対し短絡的に接続するバイパス路２５′を設ける蓄熱式熱源設備に関する。
【背景技術】
【０００２】
この種の蓄熱式熱源設備では、上記流量制御手段１９による流量制御上の制御誤差など何らかの原因で、放熱用熱交換器２及び熱源機４から往側合流部５へ送る二次側熱媒Ｂの流量が往側合流部５から負荷熱交換器９へ送る二次側熱媒Ｂの流量よりも大きくなったとき、その差分の二次側熱媒Ｂをバイパス路２５′を通じ負荷熱交換器９からの還り側の熱媒路へ短絡的に流動させることで、放熱用熱交換器２及び熱源機４の側の出力(冷熱出力又は温熱出力)と負荷熱交換器９の側の負荷（冷却負荷又は加熱負荷）との円滑な平衡を図りながら安定的な設備運転を保つようにしている。
【０００３】
ところで従来、この種の蓄熱式熱源設備では、負荷熱交換器９からの還り側の熱媒路を構成するのに、同図２に示す如く、負荷熱交換器９から負荷側還路１０を通じて戻る二次側熱媒Ｂを還側ヘッダ２３′に受け入れ、この還側ヘッダ２３′から放熱用還路２０′及び熱源機用還路２１′の各々を通じて二次側熱媒Ｂを放熱用熱交換器２と熱源機４とに対し並列的に戻す構成にし、そして、上記バイパス路２５′については、負荷熱交換器９からの還り側の熱媒路に対する接続として、還側ヘッダ２３′の上流側近傍で負荷側還路１０に接続する、又は、還側ヘッダ２３′に接続する構造を採っていた（特許文献１参照）。
【特許文献１】特開２００２−８９９３５公報
【発明の開示】
【発明が解決しようとする課題】
【０００４】
しかし、放熱用熱交換器２及び熱源機４の夫々で二次側熱媒Ｂを冷却して負荷熱交換器９での冷却負荷に対応する冷熱源設備の場合、上記した従来の設備構成では、バイパス路２５′において負荷熱交換器９からの還り側熱媒路へ向かう熱媒流動が生じたとき、放熱用熱交換器２や熱源機４で冷却された二次側熱媒Ｂの一部がバイパス路２５′を通じ負荷側還路１０における還り側の二次側熱媒Ｂ（すなわち、負荷熱交換器９での冷熱消費で昇温した二次側熱媒）に混入することで、還側ヘッダ２３′から放熱用熱交換器２に戻す二次側熱媒Ｂが低温化してしまい、この為、放熱用熱交換器２での二次側熱媒Ｂと一次側熱媒Ａとの熱交換量（換言すれば、蓄熱槽１からの冷熱取出量）が少量に制限されて、そのときの負荷熱交換器９における冷却負荷の割に蓄熱槽１における貯留冷熱の消費が進まなくなり、これが原因で、例えば一日における設備の運転終了時に大量の冷熱が蓄熱槽１に残ったままとなる状態を招いて、省エネ面などでの蓄熱方式の利点を十分に活かせなくなる問題があった。
【０００５】
そして特に、このバイパス路２５′からの低温熱媒混入に原因する蓄熱槽貯留冷熱の消費の遅滞は、負荷熱交換器９における冷却負荷が極小さいとき（すなわち、負荷側ポンプＰ３により負荷熱交換器９に供給する二次側熱媒Ｂの流量が前記流量制御手段１９により大きく減少側に調整される状況のとき）に生じ易い傾向があった。
【０００６】
また、この問題は、放熱用熱交換器２及び熱源機４の夫々で二次側熱媒Ｂを加熱して負荷熱交換器９での加熱負荷に対応する温熱源設備の場合にも同様に存在し、バイパス路２５′からの高温熱媒混入により放熱用熱交換器２に戻す二次側熱媒Ｂが高温化することで、蓄熱槽１における貯留温熱の消費が進まなくなって、設備の運転終了時に大量の温熱が蓄熱槽１に残ったままとなる状態を招いていた。
【０００７】
この実情に鑑み、本発明の主たる課題は、合理的な改良により上記問題を効果的に解消する点にある。
【課題を解決するための手段】
【０００８】
本発明の第１の特徴構成は、放熱用熱交換器において蓄熱槽に貯留の一次側熱媒と熱交換させて冷却又は加熱した二次側熱媒を放熱用往路を通じ放熱用ポンプにより往側合流部へ供給するとともに、これとは並列に、熱源機で冷却又は加熱した二次側熱媒を熱源機用往路を通じ熱源機用ポンプにより前記往側合流部へ供給し、
これら放熱用熱交換器及び熱源機から前記往側合流部に供給される二次側熱媒を負荷側往路を通じ負荷側ポンプにより負荷熱交換器に供給するとともに、この熱媒供給に並行して前記負荷熱交換器から負荷側還路へ送出される二次側熱媒を放熱用還路と熱源機用還路とに分流して前記放熱用熱交換器と前記熱源機とに対し並列的に戻す構成にし、
この構成において、前記放熱用ポンプにより前記往側合流部に供給する二次側熱媒の流量、前記熱源機用ポンプにより前記往側合流部に供給する二次側熱媒の流量、並びに、前記負荷側ポンプにより前記負荷熱交換器へ供給する二次側熱媒の流量の夫々を前記負荷熱交換器における負荷に応じて調整する流量制御手段を設けるとともに、
前記往側合流部を前記負荷熱交換器からの還り側の熱媒路に対し短絡的に接続するバイパス路を設ける蓄熱式熱源設備につき、
前記負荷熱交換器からの還り側の熱媒路に対する前記バイパス路の接続として前記バイパス路を前記熱源機用還路に接続し、
前記熱源機用還路において前記バイパス路の接続点よりも上流側の箇所で、前記放熱用還路との分岐点の側へ向かう熱媒流動を阻止して前記熱源機の側へ向かう熱媒流動のみを許容する逆止手段を設けてあることにある。
【０００９】
つまり、この第１特徴構成によれば（図１参照）、バイパス路２５において往側合流部５から熱源機用還路２１の側へ向かう熱媒流動が無いとき（バイパス路２５において往側合流部５の側へ向かう熱媒流動を逆止弁等により強制的に阻止する状態、あるいは、バイパス路２５において往側合流部５の側へ向かう熱媒流動がある状態を含む）には、熱源機用還路２１においてバイパス路２５の接続点よりも上流側の箇所で逆止手段２７が熱源機４の側へ向かう熱媒流動を許容することにより、負荷側還路１０を通じて負荷熱交換器９から戻る二次側熱媒Ｂは、放熱用還路２０と熱源機用還路２１とに分流されて放熱用熱交換器２と熱源機４との夫々に対し、ほぼ負荷熱交換器９からの送出時の温度のままで並列的に戻される。
【００１０】
これに対し、バイパス路２５において往側合流部５から熱源機用還路２１の側へ向かう熱媒流動が生じたときには、熱源機用還路２１においてバイパス路２５の接続点よりも上流側の箇所で逆止手段２７が放熱用還路２０との分岐点の側へ向かう逆流的な熱媒流動を阻止することにより、バイパス路２５を通じて熱源機用還路２１に流入する二次側熱媒Ｂはその全量が熱源機４に戻される状態になり、負荷熱交換器９から負荷側還路２０を通じて戻る二次側熱媒Ｂのうち放熱用還路２０への流入熱媒は、バイパス路２５からの熱媒混入を伴うことなく、ほぼ負荷熱交換器９からの送出時の温度のままで放熱用熱交換器２に戻される。
【００１１】
すなわち、このことにより、先述した従来の設備構成で生じていたバイパス路からの熱媒混入に原因する蓄熱槽貯留冷熱や蓄熱槽貯留温熱の消費の遅滞、つまり（図２参照）、冷熱源設備の場合では、バイパス路２５′からの低温熱媒混入により放熱用熱交換器２に戻す二次側熱媒Ｂが低温化することで蓄熱槽１における貯留冷熱の消費が進まなくなり、また、温熱源設備の場合では、バイパス路２５′からの高温熱媒混入により放熱用熱交換器２に戻す二次側熱媒Ｂが高温化することで蓄熱槽１における貯留温熱の消費が進まなくなるといった事態）を効果的に回避することができ、これにより、従来設備に比べ、蓄熱槽に蓄熱した冷熱や温熱を負荷熱交換器での負荷処理に一層的確かつ有効に利用することができて、蓄熱方式の利点を十分に活かした状態で省エネ面などにおいて一層有利にすることができる。
【００１２】
〔２〕本発明の第２特徴構成は、第１特徴構成の実施において、
前記負荷側還路をＴ字状又はＹ字状の分岐管構造により前記放熱用還路と前記熱源機用還路とに分岐してあることにある。
【００１３】
つまり、従来の設備構成では（図２参照）、負荷熱交換器２から負荷側還路１０に送出される二次側熱媒Ｂを分流して放熱用熱交換器２と熱源機４とに対し並列的に戻すのに、先述の如く、負荷熱交換器９から負荷側還路１０を通じて戻る二次側熱媒Ｂを還側ヘッダ２３′に受け入れ、この還側ヘッダ２３′から放熱用還路２０′及び熱源機用還路２１′を通じて二次側熱媒Ｂを放熱用熱交換器２と熱源機４とに対し並列的に戻す構造を採るが、前記の第１特徴構成（図１参照）の如く、放熱用還路２０と熱源機用還路２１との分岐点よりも上流側でのバイパス路２５からの熱媒混入がなく、負荷熱交換器９から負荷側還路１０を通じて戻る二次側熱媒Ｂを単に放熱用還路２０と熱源機用還路２１とに分流するだけの場合、ヘッダを用いての熱媒分流は、ヘッダの均温化機能（混合により熱媒を均温化する機能）から見てさほどの意味の無いものになる。
【００１４】
このことに着目して、上記の如く（図１参照）、負荷側還路１０をＴ字状又はＹ字状の分岐管構造２２により放熱用還路２０と熱源機用還路２１とに分岐する構造を採って、放熱用還路２０と熱源機用還路２１とへの熱媒分流のためのヘッダを省略することで、その分、設備コストを安価にし得るとともに、設備全体としての配管抵抗も極力低減することができて必要ポンプ動力も低減することができる。
【００１５】
なお、第２特徴構成の実施において、複数の負荷熱交換器を並列的に設ける場合には（図１参照）、それら複数の負荷熱交換器９から送出される二次側熱媒Ｂを合流させる負荷側還路１０（すなわち、還り側主管）において、各負荷熱交換器９からの送出熱媒Ｂの合流部と上記Ｔ字状又はＹ字状の分岐管構造２２による分岐部との間の配管長を極力長くし、そのことで、各負荷熱交換器９から送出される二次側熱媒Ｂの合流後における混合を十分にして、その合流後熱媒Ｂの均温化を促進するのが望ましい。
【００１６】
〔３〕本発明の第３特徴構成は、第１又は第２特徴構成の実施において、
前記熱源機を並列的に複数装備するのに対し、前記負荷側還路から前記熱源機用還路を通じて戻る二次側熱媒を前記バイパス路の接続点よりも下流側で受け入れる還側ヘッダを設け、この還側ヘッダから各別の熱源機用分岐還路を通じて複数の前記熱源機へ二次側熱媒を戻す構成にしてあることにある。
【００１７】
つまり、この構成によれば（図１参照）、例えばバイパス路２５を上記還側ヘッダ２３に対し接続する構成を採るに比べ、バイパス路２５において往側合流部５から熱源機用還路２１の側へ向かう熱媒流動が生じたとき、熱源機用還路２１におけるバイパス路２５の接続点から還側ヘッダ２３に至るまでの配管内流動過程における熱媒混合と、それに続く還側ヘッダ２３内での熱媒混合とにより、バイパス路２５から流入する二次側熱媒Ｂと負荷側還路１０から熱源機用還路２１の側へ流入する二次側熱媒Ｂとをより十分に混合して均温化した状態で、その混合熱媒Ｂを熱源機用分岐還路２４を通じて複数の熱源機４夫々に戻すことができる。
【００１８】
そして、このことにより、複数の熱源機４の並列運転において、それら熱源機４から送出する二次側熱媒Ｂの温度を一層効果的かつ安定的に均一化することができ、これにより、複数の熱源機４夫々から送出する二次側熱媒Ｂの温度に差があることに原因する往側合流部５での混合熱損失を抑止して省エネ面で一層有利にし得るとともに、負荷熱交換器９に供給する二次側熱媒Ｂの温度も一層安定化することができて負荷熱交換器９における負荷処理機能も安定性の面や温度精度面で一層高めることができる。
【００１９】
なお、この第３特徴構成では、負荷側還路１０から分岐した後の熱源機用還路２１に還側ヘッダ２３を装備するから、この還側ヘッダ２３を設けるにしても、前記第２特徴構成の並行実施において、その第２特徴構成による効果、すなわち、負荷熱交換器９から負荷側還路１０を通じて戻る二次側熱媒Ｂを放熱用還路２０と熱源機用還路２１とに分流するヘッダを省略することによる効果（特に、設備全体としての配管抵抗を極力低減し得る効果）は十分に活かすことができる。
【００２０】
〔４〕本発明の第４特徴構成は、第１ないし第３特徴構成のいずれかの実施において、
前記放熱用熱交換器から送出される二次側熱媒の一部を前記放熱用還路へ短絡的に供給する温度調整用の短絡路を設け、この短絡路を通じて前記放熱用還路へ供給する二次側熱媒の流量調整により、前記放熱用還路から前記放熱用熱交換器に戻す二次側熱媒の温度を設定戻し温度に自動調整する構成にしてあることにある。
【００２１】
つまり、前記の第１特徴構成では（図１参照）、バイパス路からの熱媒混入に原因する放熱用熱交換器２への戻し二次側熱媒Ｂの低温化や高温化を防止できるが、負荷熱交換器９から送出される二次側熱媒Ｂそのものの温度変動や並列配備された複数の負荷熱交換器９から送出される二次側熱媒Ｂの温度のバラツキなどに原因する放熱用熱交換器２への戻し二次側熱媒Ｂの温度変動までは防止することができず、この為、放熱用ポンプＰ１による二次側熱媒Ｂの送給流量（すなわち、放熱用熱交換器２における二次側熱媒Ｂの通過流量）が一定の状況下においても、放熱用熱交換器２での熱交換量（すなわち、蓄熱槽１からの冷熱や温熱の取出量）が未だ変動する現象が残る。
【００２２】
これに対し、第４特徴構成によれば（図１参照）、温度調整用の短絡路２８を通じて放熱用還路２０へ供給する二次側熱媒Ｂの流量調整により、放熱用還路２０から放熱用熱交換器２に戻す二次側熱媒Ｂの温度が設定戻し温度に自動調整されるから、負荷熱交換器９における負荷の増減に応じて放熱用ポンプＰ３による二次側熱媒Ｂの送給流量を変更するときには、当然、それに伴い放熱用熱交換器２での熱交換量も変化するが、放熱用ポンプＰ１による二次側熱媒Ｂの送給流量が一定の状況下（一般的には、負荷熱交換器９における負荷の減少に対し熱源機４は停止して蓄熱槽１における貯留冷熱や貯留温熱だけで負荷に対応するに至るまでの熱源機並行運転の状況下）では、負荷熱交換器９から送出される二次側熱媒Ｂそのものの温度変動や並列配備された複数の負荷熱交換器９から送出される二次側熱媒Ｂの温度のバラツキなどにかかわらず、放熱用熱交換器２での熱交換量を一定に保って、蓄熱槽１における貯留冷熱や貯留温熱の単位時間当たりの消費量を一定に保つことができる。
【００２３】
そして、このことにより、前記第１特徴構成による効果（すなわち、バイパス路からの熱媒混入に原因する蓄熱槽貯留冷熱や蓄熱槽貯留温熱の消費の遅滞を防止し得る効果）とも相まって、設備の実際の運転を運転終了時において蓄熱槽１における貯留冷熱や貯留温熱をほぼ丁度使い切る省エネ上の理想的な運転に効果的に近付けることができ、これにより、省エネ面で一層有利にすることができる。
【発明を実施するための最良の形態】
【００２４】
図１は蓄熱式の冷熱源設備を示し、１は一次側熱媒Ａ（本例では水）を貯留するスタティック型の氷蓄熱槽、２は氷蓄熱槽１との間で一次側循環路３を通じ循環させる一次側熱媒Ａと二次側熱媒Ｂ（本例では水）とを熱交換させて二次側熱媒Ｂを冷却する放熱用熱交換器、４は二次側熱媒Ｂを冷却する複数の冷凍機（すなわち、冷熱発生熱源機）、５は往側合流部としての往側ヘッダであり、放熱用熱交換器２で冷却した二次側熱媒Ｂを放熱用往路６を通じて放熱用ポンプＰ１により往側ヘッダ５に送るとともに、これと並列に、各冷凍機４で冷却した二次側熱媒Ｂを並列の熱源機用往路７を通じて各別の熱源機用ポンプＰ２により往側ヘッダ５に送るようにしてある。
【００２５】
そして、放熱用熱交換器２及び各冷凍機４から往側ヘッダ５に供給される低温の二次側熱媒Ｂは、往側ヘッダ５内での混合及びそれに続く配管内流動過程での混合により均温化しながら、負荷側ポンプＰ３により負荷側往路８及びそれから分岐した複数の負荷側分岐往路８ａを通じて複数の負荷熱交換器９に対し並列に供給し、一方、各負荷熱交換器９から送出される二次側熱媒Ｂ（すなわち、負荷熱交換器９での冷熱消費により昇温した二次側熱媒）は、並列の負荷側分岐還路１０ａを通じ負荷側還路１０に合流させて、この負荷側還路１０を通じ放熱用熱交換器２及び各冷凍機４に戻すようにしてある。
【００２６】
負荷側ポンプＰ３は負荷側往路８のうち負荷側分岐往路８ａの分岐部よりも上流側の部分（具体的には往側ヘッダ５からの熱媒取出部）に並列配置で複数装備してあり、また、放熱用ポンプＰ１は放熱用往路６に並列配置で複数装備してある。
【００２７】
複数の負荷熱交換器９のうち往側ヘッダ５からの配管長が最も長い最遠の負荷熱交換器９Ａについては、それに対する迂回路１１を設けるとともに、その最遠負荷熱交換器９Ａから送出される二次側熱媒Ｂの検出温度に基づき、最遠負荷熱交換器９Ａに通過させる二次側熱媒Ｂと迂回路１１を通じ最遠負荷熱交換器９Ａを迂回させる二次側熱媒Ｂとの流量比を調整することで、最遠負荷熱交換器９Ａから送出される二次側熱媒Ｂの温度を設定戻し温度ｔｒｍに自動調整する自動三方弁１２を装備してある。
【００２８】
また、最遠負荷熱交換器９Ａ以外の負荷熱交換器９Ｂについては、負荷熱交換器９Ｂから送出される二次側熱媒Ｂの検出温度に基づき、負荷熱交換器９Ｂに通過させる二次側熱媒Ｂの流量を調整することで、負荷熱交換器９Ｂから送出される二次側熱媒Ｂの温度を設定戻し温度ｔｒｍに自動調整する自動二方弁１３を装備してある。
【００２９】
つまり、これら自動三方弁１２及び自動二方弁１３による各負荷熱交換器９についての個別の流量調整により、各負荷熱交換器９の冷却出力をそれら負荷熱交換器９各々の冷却負荷ｑに応じて自動調整し、また、この個別の流量調整に対し、最遠負荷熱交換器９Ａに装備した迂回路１１による流路確保をもって負荷側往路８及び負荷側分岐往路８ａにおける熱媒供給圧の異常上昇を防止する。
【００３０】
なお、最遠負荷熱交換器９Ａについては、場合により上記の如き自動三方弁１２の装備に代え、オリフィス等の固定抵抗を設けた迂回路１１と上記自動二方弁１３とを装備する方式を採ってもよく、また、最遠負荷熱交換器９Ａ以外の負荷熱交換器９Ｂについては、場合により上記の如き自動二方弁１３に代え、それら負荷熱交換器９Ｂに通過させる二次側熱媒Ｂの流量を初期設定的に調整するための手動二方弁を装備する方式を採ってもよい。
【００３１】
各冷凍機４は、熱源機用往路７へ送出する二次側熱媒Ｂの検出温度に基づき、冷凍機出力をインバータ制御等により調整することで、熱源機用往路７へ送出する二次側熱媒Ｂの温度（すなわち、冷凍機出口温度）を設定送り温度ｔｓｍに自動調整する機能を備えており、また、放熱用熱交換器２については、放熱用熱交換器２から放熱用往路６に送出される二次側熱媒Ｂの温度ｔｏを検出する温度センサ１４、及び、この温度センサ１４の検出温度ｔｏに基づき、一次側循環路３において放熱用熱交換器２に通過させる一次側熱媒Ａと迂回路３ａを通じ放熱用熱交換器２を迂回させる一次側熱媒Ａとの流量比を調整することで、放熱用熱交換器２から放熱用往路６に送出される二次側熱媒Ｂの温度ｔｏを設定送り温度ｔｓｍに自動調整する自動三方弁１５を設けてあり、これにより、放熱用熱交換器２及び各冷凍機４からは、ともに同温度（設定送り温度ｔｓｍ）に冷却した二次側熱媒Ｂを往側ヘッダ５に供給するようにしてある。
【００３２】
１６は負荷側往路８において負荷熱交換器９に対し供給する二次側熱媒Ｂの温度ｔｓ（理想的には設定送り温度ｔｓｍに等しい温度）を検出する往側温度センサ、１７は負荷側還路１０において各負荷熱交換器９から戻る二次側熱媒Ｂの合流後の温度ｔｒ（理想的には設定戻し温度ｔｒｍに等しい温度）を検出する還側温度センサ、１８は同じく負荷側還路１０において各負荷熱交換器９から戻る二次側熱媒Ｂの合流後の流量Ｇ（換言すれば、負荷側往路８に対する往側ヘッダ５からの熱媒送出流量）を検出する流量センサであり、１９はこれら温度センサ１６，１７及び流量センサ１８の検出温度ｔｓ，ｔｒ及び検出流量Ｇに基づき冷凍機４並びに各ポンプＰ１〜Ｐ３を制御する制御器である。
【００３３】
この制御器１９は、還側温度センサ１７による検出温度ｔｒと往側温度センサ１６による検出温度ｔｓとの差温Δｔ（＝ｔｒ−ｔｓ）に対し流量センサ１８による検出流量Ｑを乗じる形態で、各時点における負荷熱交換器９群全体としての冷却負荷Ｑ（＝Σｑ）を演算し、この演算冷却負荷Ｑが所定の閾負荷Ｑｓ以上のとき（Ｑ≧Ｑｓ）、制御器１９は、冷凍機４による二次側熱媒Ｂの冷却と放熱用熱交換器２による二次側熱媒Ｂの冷却との両方（換言すれば、冷凍機４での発生冷熱と蓄熱槽１から取り出す冷熱との両方）により負荷熱交換器９群の冷却負荷Ｑを処理する冷凍機並行の冷熱供給運転を実施する。
【００３４】
また、演算冷却負荷Ｑ（＝Σｑ）が所定の閾負荷Ｑｓ未満のとき（Ｑ＜Ｑｓ）、制御器１９は、放熱用熱交換器２による二次側熱媒Ｂの冷却（換言すれば、蓄熱槽１から取り出す冷熱）のみをもって負荷熱交換器９群の冷却負荷Ｑを処理する蓄熱槽単独の冷熱供給運転を実施し、具体的な運転制御として制御器１９は、冷凍機並行の冷熱供給運転のとき次の（イ）〜（ハ）の制御を実行し、また、蓄熱槽単独の冷熱供給運転のとき次の（ニ），（ホ）の制御を実行する。
【００３５】
（冷凍機並行の冷熱供給運転）
（イ）全ての放熱用ポンプＰ１を定格出力で運転して、放熱用熱交換器２から往側ヘッダ５に供給する二次側熱媒Ｂの流量をほぼ計画最大流量に保ち、これに対し、冷凍機４の運転台数を演算冷却負荷Ｑに応じて変更する。
【００３６】
（ロ）運転状態にある冷凍機４の熱源機用ポンプＰ２を運転する形態で、冷凍機４の運転台数変更に伴い熱源機用ポンプＰ２の運転台数を変更するとともに、運転状態にある熱源機用ポンプＰ２の出力を演算冷却負荷Ｑに応じインバータ制御等により調整し、これにより、運転状態の冷凍機４から往側ヘッダ５に供給する二次側熱媒Ｂの流量を演算冷却負荷Ｑに応じて調整する。
【００３７】
（ハ）負荷側ポンプＰ３の運転台数を演算冷却負荷Ｑに応じ変更するとともに、運転状態にある負荷側ポンプＰ３の出力を同じく演算冷却負荷Ｑに応じインバータ制御などにより調整し、これにより、往側ヘッダ５から負荷熱交換機器９に供給する二次側熱媒Ｂの流量Ｇを演算冷却負荷Ｑに応じて調整する。
【００３８】
つまり、冷凍機並行の冷熱供給運転では、冷凍機４及び熱源機用ポンプＰ２の運転台数変更、熱源機用ポンプＰ２の出力調整、並びに、送出する二次側熱媒Ｂの温度を設定送り温度ｔｓｍに調整する各冷凍機４の出力調整により、冷凍機４群全体としての二次側熱媒Ｂの冷却量を調整することで、冷凍機４群全体としての二次側熱媒Ｂの冷却量と放熱用熱交換器２での二次側熱媒Ｂの冷却量との和（すなわち、冷凍機４群全体としての単位時間当たりの冷熱発生量と蓄熱槽１からの単位時間当たりの冷熱取出量との和）を負荷熱交換器９群全体としての冷却負荷Ｑと均衡させる。
【００３９】
また、熱源機用ポンプＰ２の運転台数変更及び出力調整により往側ヘッダ５に対する二次側熱媒Ｂの供給流量が変化することに対し、負荷側ポンプＰ３の運転台数変更及び出力調整により、往側ヘッダ５から負荷側往路８へ送出する二次側熱媒Ｂの流量Ｇを冷凍機４及び放熱用熱交換器２から往側ヘッダ５に供給する二次側熱媒Ｂの流量と均衡させる。
【００４０】
（蓄熱槽単独の冷熱供給運転）
（ニ）全ての冷凍機４及び全ての熱源機用ポンプＰ２を停止した状態で、放熱用ポンプＰ１の運転台数を演算冷却負荷Ｑに応じ変更するとともに、運転状態にある放熱用ポンプＰ１の出力を同じく演算冷却負荷Ｑに応じインバータ制御などにより調整し、これにより、放熱用熱交換器２から往側ヘッダ５に供給する二次側熱媒Ｂの流量を演算冷却負荷Ｑに応じて調整する。
【００４１】
（ホ）負荷側ポンプＰ３の運転台数を演算冷却負荷Ｑに応じ変更するとともに、運転状態にある負荷側ポンプＰ３の出力を同じく演算冷却負荷Ｑに応じインバータ制御などにより調整し、これにより、往側ヘッダ５から負荷熱交換器９に供給する二次側熱媒Ｂの流量Ｇを演算冷却負荷Ｑに応じて調整する。
【００４２】
つまり、蓄熱槽単独の冷熱供給運転では、放熱用熱交換器２における一次側熱媒Ａの通過流量を調整して放熱用熱交換器２から送出される二次側熱媒Ｂの温度ｔｏを設定送り温度ｔｓｍに調整する自動三方弁１５の作用下において、放熱用ポンプＰ１の運転台数変更及び出力調整により放熱用熱交換器２における二次側熱媒Ｂの通過流量を調整することで、放熱用熱交換器２での二次側熱媒Ｂの冷却量を調整して、その放熱用熱交換器２での二次側熱媒Ｂの冷却量（すなわち、蓄熱槽１からの単位時間当たりの冷熱取出量）を負荷熱交換器９群全体としての冷却負荷Ｑと均衡させる。
【００４３】
また、放熱用ポンプＰ１の運転台数変更及び出力調整により往側ヘッダ５に対する二次側熱媒Ｂの供給流量が変化することに対し、負荷側ポンプＰ３の運転台数変更及び出力調整により、往側ヘッダ５から負荷側往路８へ送出する二次側熱媒Ｂの流量Ｇを放熱用熱交換器２から往側ヘッダ５に供給する二次側熱媒Ｂの流量と均衡させる。
【００４４】
負荷側還路１０を通じて負荷熱交換器９から戻る二次側熱媒Ｂを放熱用熱交換器２及び冷凍機４の夫々に戻す配管構造については、還側温度センサ１７及び流量センサ１８の介装部よりも下流側において負荷側還路１０を、放熱用熱交換器２に二次側熱媒Ｂを戻す放熱用還路２０と冷凍機４群に二次側熱媒Ｂを戻す熱源機用還路２１とにＴ字状（又はＹ字状）の分岐管構造２２により分岐し、そして、放熱用還路２０を放熱用熱交換器２の二次側熱媒入口に接続するのに対し、熱源機用還路２１については、その熱源機用還路２１を通じて戻る二次側熱媒Ｂを受け入れる還側ヘッダ２３を設け、この還側ヘッダ２３と各冷凍機４の二次側熱媒入口とを各別の熱源機用分岐還路２４により接続してある。
【００４５】
また、この配管構造において、往側ヘッダ５と熱源機用還路２１の途中箇所とを短絡的に接続するバイパス路２５、及び、このバイパス路２５において往側ヘッダ５の側へ向かう熱媒流動を阻止して熱源機用還路２１の側へ向かう熱媒流動のみを許容するバイパス用逆止弁２６を設けるとともに、熱源機用還路２１にはバイパス路２５の接続点よりも上流側の箇所で放熱用還路２０との分岐点の側へ向かう熱媒流動を阻止して冷凍機４の側（すなわち、還側ヘッダ２３の側）へ向かう熱媒流動のみを許容する還側逆止弁２７を装備してある。
【００４６】
つまり、この冷熱源設備では、放熱用ポンプＰ１により往側ヘッダ５に供給する二次側熱媒Ｂの流量、熱源機用ポンプＰ２により往側ヘッダ５に供給する二次側熱媒Ｂの流量、並びに、負荷側ポンプＰ３により負荷熱交換器９群に供給する二次側熱媒Ｂの流量の夫々を演算冷却負荷Ｑに応じ流量制御手段としての制御器１９により調整する流量制御の実施において、その流量制御上の制御誤差など何らかの原因で、放熱用熱交換器２及び冷凍機４から往側ヘッダ５へ送る二次側熱媒Ｂの流量が往側ヘッダ５から負荷熱交換器９群へ送る二次側熱媒Ｂの流量よりも大きくなったとき、その差分の二次側熱媒Ｂをバイパス路２５を通じ負荷熱交換器９からの還り側熱媒路である熱源機用還路２１へ短絡的に流動させることで、放熱用熱交換器２及び冷凍機４の側の冷熱出力と負荷熱交換器９の側の冷却負荷Ｑとの円滑な平衡を図りながら安定的な設備運転を保つようにしている。
【００４７】
また、バイパス路２５を熱源機用還路２１に接続するとともに、熱源機用還路２１においてバイパス路２５の接続点よりも上流側に上記の還側逆止弁２７を装備することで、バイパス路２５において熱源機用還路２１の側へ向かう熱媒流動が無いとき（バイパス路２５において往側ヘッダ５へ向かう熱媒流動をバイパス用逆止弁２６により阻止している状態を含む）には、負荷側還路１０を通じて負荷熱交換器９から戻る二次側熱媒Ｂが放熱用還路２０と熱源機用還路２１とに分流されて放熱用熱交換器２と冷凍機４との夫々に対し、ほぼ負荷熱交換器９からの送出時の温度のままで並列的に戻されるようにし、これに対し、バイパス路２５において熱源機用還路２１の側へ向かう熱媒流動が生じたときには、バイパス路２５を通じて熱源機用還路２１に流入する二次側熱媒Ｂの全量が冷凍機４の側に戻される状態になり、負荷側還路１０を通じて負荷熱交換器９から戻る二次側熱媒Ｂのうち放熱用還路２０への流入熱媒は、バイパス路２５からの低温熱媒混入を伴うことなく、ほぼ負荷熱交換器９からの送出時の温度のままで放熱用熱交換器２に戻されるようにしてある。
【００４８】
すなわち、このことにより、バイパス路２５からの低温熱媒混入に原因する放熱用熱交換器２への戻し二次側熱媒Ｂの低温化を防止して、蓄熱槽１における貯留冷熱を負荷熱交換器９での負荷処理に有効に使用できるようにしてある。
【００４９】
放熱用熱交換器２については、放熱用熱交換器２から放熱用往路６に送出される二次側熱媒Ｂの一部を放熱用還路２０へ短絡的に供給する温度調整用の短絡路２８を設けるとともに、放熱用還路２０から放熱用熱交換器２に戻す二次側熱媒Ｂの温度ｔｒ′を検出する温度センサ２９、及び、この温度センサ２９の検出温度ｔｒ′に基づき、温度調整用の短絡路２８を通じて放熱用還路２０に供給する二次側熱媒Ｂの流量を調整することで、放熱用還路２０から放熱用熱交換器２に戻す二次側熱媒Ｂの温度ｔｒ′を前記の設定戻し温度ｔｒｍに自動調整する自動三方弁３０を設けてあり、これにより、放熱用熱交換器２から往側ヘッダ５に供給する二次側熱媒Ｂの流量をほぼ計画最大流量に保つ冷凍機並行の冷熱供給運転の際、負荷熱交換器９から送出される二次側熱媒Ｂそのものの温度変動や各負荷熱交換器９から送出される二次側熱媒Ｂの温度のバラツキなどにかかわらず、放熱用熱交換器２での熱交換量（すなわち、蓄熱槽１からの単位時間当たりの冷熱取出量）を極力一定化するようにしてある。
【００５０】
なお図中、Ｐ４は一次側循環路３において氷蓄熱槽１と放熱用熱交換器２との間で一次側熱媒Ａを循環させる一次側循環ポンプ、３１は氷蓄熱槽１の槽内に配置した製氷用熱交換器３２において氷を生成（すなわち、氷蓄熱槽１に冷熱を蓄熱）する製氷用冷凍機である。
【００５１】
〔別実施形態〕
次に本発明の別実施形態を列記する。
【００５２】
前述の実施形態では、放熱用熱交換器２及び熱源機４（冷凍機）の夫々で二次側熱媒Ｂを冷却して負荷熱交換器９での冷却負荷に対応する冷熱源設備を示したが、本発明は、放熱用熱交換器２及び熱源機４の夫々で二次側熱媒Ｂを加熱して負荷熱交換器９での加熱負荷に対応する温熱源設備にも適用することができる。
【００５３】
前述の実施形態では、往側合流部として往側ヘッダ５を設け、この往側ヘッダ５に放熱用往路６と熱源機用往路７と負荷側往路８との三者を接続する配管構造を示したが、往側合流部は必ずしもヘッダに限られるものではなく、場合によっては、放熱用往路６と熱源機用往路７と負荷側往路８との三者を互いに管路接続する構造を採用してもよい。
【００５４】
放熱用ポンプＰ１により往側合流部５に供給する二次側熱媒Ｂの流量、熱源機用ポンプＰ２により往側合流部５に供給する二次側熱媒Ｂの流量、並びに、負荷側ポンプＰ３により負荷熱交換器９へ供給する二次側熱媒Ｂの流量の夫々を負荷熱交換器９における負荷Ｑに応じて自動調整するのに、その具体的な調整形態は、前述の実施形態で示した調整形態に限らず種々の変更が可能であり、例えば、負荷熱交換器９における負荷Ｑに応じて負荷側ポンプＰ３の運転台数変更や出力調整を行うのに伴い、その負荷側ポンプＰ３の運転台数や出力調整状態に基づき放熱用ポンプＰ１及び熱源機用ポンプＰ２の運転台数変更や出力調整を行うようにしてもよい。
【００５５】
前述の実施形態では、熱源機用還路２１においてバイパス路２５の接続点よりも上流側の箇所で放熱用還路２０との分岐点の側へ向かう熱媒流動を阻止する逆止手段として、逆止弁２７を熱源機用還路２１に介装する例を示したが、この逆止手段は熱媒流動向きの検出情報や熱媒圧力の検出情報などに基づき流路を開閉する自動弁などで構成してもよい。
【００５６】
前述の実施形態では、バイパス路２５において熱源用還路２１から往側合流部５（往側ヘッダ）の側へ向かう熱媒流動を阻止するバイパス用逆止弁２６を装備する例を示したが、場合によっては、このバイパス用逆止弁２６を省略してバイパス路２５におけるいずれの向きの熱媒流動も許すようにしてもよく、また、バイパス路２５における熱媒流動状態に応じて各ポンプＰ１〜Ｐ３の熱媒送出流量を補正的に調整する構成を採用するなどしてもよい。
【００５７】
蓄熱槽１は、氷蓄熱槽などの潜熱蓄熱槽に限られるものでなく、単に冷水や温水を貯留する水蓄熱槽などの顕熱蓄熱槽であってもよい。
【産業上の利用可能性】
【００５８】
本発明による蓄熱式熱源設備は、冷房や暖房などの空調、あるいは、物品の冷却や加熱など、冷熱ないし温熱が要求される各種用途に利用することができる。
【図面の簡単な説明】
【００５９】
【図１】実施形態を示す設備構成図
【図２】従来例を示す設備構成図
【符号の説明】
【００６０】
１        蓄熱槽
２        放熱用熱交換器
４        熱源機
５        往側合流部
６        放熱用往路
７        熱源機用往路
８        負荷側往路
９        負荷熱交換器
１０      負荷側還路
１９      流量制御手段
２０      放熱用還路
２１      熱源機用還路
２２      分岐管構造
２３      還側ヘッダ
２４      熱源機用分岐還路
２５      バイパス路
２７      逆止手段
２８      短絡路
Ａ        一次側熱媒
Ｂ        二次側熱媒
Ｐ１      放熱用ポンプ
Ｐ２      熱源機用ポンプ
Ｐ３      負荷側ポンプ
Ｑ        負荷
【図１】
2005147416.tif 000003
【図２】
2005147416.tif 000004